(57)【特許請求の範囲】
【請求項１】
着用者の腹側に配される腹側シート部材と、着用者の背側に配される背側シート部材と、腹側シート部材及び背側シート部材に架け渡して固定された吸収性本体とを具備し、腹側シート部材と背側シート部材の両側縁部に、腹側シート部材と背側シート部材とが接合されて形成された一対のサイドシール部を有するパンツ型吸収性物品であって、
前記背側シート部材は、吸収性物品縦方向の長さが前記サイドシール部の同方向の長さより長く、該サイドシール部より下方に延出する背側延出部を有しており、
前記腹側シート部材は、吸収性物品縦方向の長さが前記サイドシール部の同方向の長さより長く、該サイドシール部より下方に延出する腹側延出部を有しており、
前記吸収性本体は、縦長の吸収体、及び該吸収体の長手方向の両側縁それぞれより外方に位置し、少なくとも腹側シート部材と背側シート部材との間に側部ギャザーを形成する側部シート部を有しており、
前記側部シート部は、吸収性物品横方向の外方側に倒した状態で前記背側延出部に固定されており、
前記側部ギャザーを形成する弾性部材が、前記背側延出部に達しておらず、
前記側部シート部は、吸収性物品横方向の外方側に倒した状態で前記腹側シート部材に固定されており、
前記側部シート部が、前記腹側シート部材と重なる部分においても伸縮性を発現するようになされているパンツ型吸収性物品。
【請求項２】
前記腹側シート部材と前記背側シート部材との間における前記側部シート部には、それぞれ、前記側部ギャザーを形成する弾性部材が複数本配されており、それらの総てが側部ギャザーの幅方向における中央位置より自由端側に配されている請求項１記載のパンツ型吸収性物品。
【請求項３】
前記側部ギャザーを形成する弾性部材は、前記側部ギャザーの自由端には配されていない請求項１又は２記載のパンツ型吸収性物品。
【発明の詳細な説明】
【技術分野】
【０００１】
本発明は、使い捨ておむつ等のパンツ型吸収性物品に関する。
【背景技術】
【０００２】
従来、着用者の腹側に配される腹側部、着用者の股間部に配される股下部及び着用者の背側に配される背側部に亘る砂時計状の外包材と、該外包材の内面側に固定された吸収性本体とを備え、腹側部における外包材の両側縁部と背側部における外包材の両側縁部とが接合されてウエスト開口部及び一対のレッグ開口部が形成されているパンツ型吸収性物品が知られている。
このようなパンツ型吸収性物品を連続生産する際には、外包材の帯状原反にレッグ開口部形成用の貫通孔や切り欠きを形成し、不要な部分をトリムとして除去するのが一般的である。
【０００３】
また、従来のパンツ型吸収性物品として、外包材が、着用者の腹側に配される腹側シート部材と、着用者の背側に配される背側シート部材とに分割されており、吸収性本体が、腹側シート部材及び背側シート部材に架け渡すように固定されていると共に、腹側シート部材の左右の両側縁部と背側シート部材の左右両側縁部とが接合されているパンツ型吸収性物品が知られている。例えば、特許文献１には、そのようなパンツ型吸収性物品として、前ベルト部分及び後ろベルト部分からなる環状弾性ベルトと吸収性本体とを備えると共に、後ろベルト部分（背側シート部材）の縦方向の長さを、前ベルト部分（腹側シート部材）の縦方向の長さよりも長くしたプルオン衣類が記載されている。
【先行技術文献】
【特許文献】
【０００４】
【特許文献１】特表２００８−５０８０８２号公報
【発明の概要】
【発明が解決しようとする課題】
【０００５】
外包材が、着用者の腹側に配される腹側シート部材と着用者の背側に配される背側シート部材とに分割されたパンツ型吸収性物品は、外包材の帯状原反からのトリムの除去を不要としたり、除去すべきトリムの小型化等を図ることができるが、着用時にふんどしのような外観を呈するものが多く、吸収性物品として重要な“モレに対する不安感”につながるため、そのような外観を好まない消費者も多い。
特許文献１のプルオン衣類は、後ろベルト部分（背側シート部材）の縦方向の長さが、前ベルト部分（腹側シート部材）の同長さより長いことによって、着用者の臀部の被覆性が高められている。しかし、吸収性本体が、両側から太腿に押されて幅が狭くなる一方、後ろベルト部分を延出させる程度にも限度があるため、後ろベルト部分の下縁部より下方や吸収性本体の側縁部から着用者の臀部の一部がはみ出した状態となり易く、見栄えが悪い、漏れやすい等の印象を与える等、着用者の背側や側方から見た外観が好ましくないという問題があった。
【０００６】
従って、本発明は、外包材が、着用者の腹側に配される腹側シート部材と着用者の背側に配される背側シート部材とに分割されたタイプのパンツ型吸収性物品でありながら、着用者の背側や側方から見た外観に優れたパンツ型吸収性物品に関する。
【課題を解決するための手段】
【０００７】
本発明は、着用者の腹側に配される腹側シート部材と、着用者の背側に配される背側シート部材と、腹側シート部材及び背側シート部材に架け渡して固定された吸収性本体とを具備し、腹側シート部材と背側シート部材の両側縁部に、腹側シート部材と背側シート部材とが接合されて形成された一対のサイドシール部を有するパンツ型吸収性物品であって、前記背側シート部材は、吸収性物品縦方向の長さが前記サイドシール部の同方向の長さより長く、該サイドシール部より下方に延出する背側延出部を有しており、前記吸収性本体は、縦長の吸収体、及び該吸収体の長手方向の両側縁それぞれより外方に位置し、少なくとも腹側シート部材と背側シート部材との間に側部ギャザーを形成する側部シート部を有しており、前記側部シート部は、吸収性物品横方向の外方側に倒した状態で前記背側延出部に固定されており、前記側部ギャザーを形成する弾性部材が、前記背側延出部に達していないパンツ型吸収性物品を提供するものである。
【発明の効果】
【０００８】
本発明のパンツ型吸収性物品は、外包材が、着用者の腹側に配される腹側シート部材と着用者の背側に配される背側シート部材とに分割されたタイプのパンツ型吸収性物品でありながら、着用者の背側や側方から見た外観に優れている。
【図面の簡単な説明】
【０００９】
【図１】図１は、本発明の第１実施形態であるパンツ型使い捨ておむつの使用状態（着用状態）を示す図であり、（ａ）は、腹側部側から見た図、（ｂ）は、側方から見た図、（ｃ）は、背側部側から見た図である。
【図２】図２は、図１に示すパンツ型使い捨ておむつの展開且つ伸長状態を示す一部破断平面図である。展開且つ伸長状態とは、サイドシール部を引き剥がして、パンツ型吸収性物品を展開状態とし、その展開状態の吸収性物品を、各部の弾性部材を伸長させて、設計寸法（弾性部材の影響を一切排除した状態で平面状に広げたときの寸法と同じ）となるまで拡げた状態をいう。
【図３】図３は、図２のＩＩＩ−ＩＩＩ線拡大断面図である。
【図４】図４は、図２のＩＶ−ＩＶ線拡大断面図である。
【図５】図５は、図２のＶ−Ｖ線拡大断面図である。
【図６】図６は、本発明の第２実施形態のパンツ型使い捨ておむつを示す図で、（ａ）は、展開且つ伸長状態のおむつの吸収性本体をおむつ内面側から見た図、（ｂ）は、（ａ）のＡ−Ａ線模式断面図（自然状態）、（ｃ）は、（ａ）のＢ−Ｂ線模式断面図である。
【図７】図７は、本発明の第３実施形態のパンツ型使い捨ておむつを示す図で、（ａ）は、展開且つ伸長状態のおむつの吸収性本体をおむつ内面側から見た図、（ｂ）は、（ａ）のＣ−Ｃ線模式断面図（自然状態）、（ｃ）は、（ａ）のＤ−Ｄ線模式断面図である。
【発明を実施するための形態】
【００１０】
以下、本発明のパンツ型吸収性物品を、その好ましい実施形態に基づき図面を参照しながら説明する。
本発明の第１実施形態であるパンツ型使い捨ておむつ１（以下、おむつ１ともいう）は、図１及び図２に示すように、着用者の腹側に配される腹側シート部材２Ａと、着用者の背側に配される背側シート部材２Ｂと、腹側シート部材２Ａ及び背側シート部材２Ｂに架け渡して固定された吸収性本体３とを具備し、腹側シート部材２Ａと背側シート部材２Ｂの両側縁部２ａ，２ａ，２ｂ，２ｂに、腹側シート部材２Ａと背側シート部材２Ｂとが接合されて形成されたサイドシール部４，４を有するパンツ型の使い捨ておむつ１である。
【００１１】
腹側シート部材２Ａは、おむつ（吸収性物品）縦方向（Ｘ方向）の長さＬａが、サイドシール部４の同方向の長さＬ４より長く、該サイドシール部４より下方（着用時における下方）に延出する腹側延出部２１ａを有している。また、背側シート部材２Ｂは、おむつ（吸収性物品）縦方向（Ｘ方向）の長さＬｂが、サイドシール部４の同方向の長さＬ４より長く、該サイドシール部４より下方（着用時における下方）に延出する背側延出部２１ｂを有している。以下、腹側シート部材２Ａにおける、両側縁部にサイドシール部４，４を有する部分（腹側延出部２１ａ以外の部分）を腹側シート部材本体２０ａ、背側シート部材２Ｂにおける、両側縁部にサイドシール部４，４を有する部分（背側延出部２１ｂ以外の部分）を、背側シート部材本体２０ｂともいう。
なお、着用時における上方はウエスト開口部５側であり、着用時における下方はレッグ開口部６，６側である。
【００１２】
おむつ１について、より詳細に説明すると、おむつ１は、図１及び図２に示すように、着用時に、着用者の腹側に配される腹側部Ａと、着用者の背側に配される背側部Ｂと、腹側部Ａと背側部Ｂとの間に位置し、着用者の股間部に配される股下部Ｃを有している。おむつ（吸収性物品）１の縦方向は、腹側部Ａから股下部Ｃを経て背側部Ｂに亘る方向又はその逆方向（図２中Ｘ方向）であり、おむつ（吸収性物品）１の横方向は、おむつ縦方向と直交する方向（図２中Ｙ方向）である。
【００１３】
おむつ１の吸収性本体３は、図３に示すように、液透過性の表面シート３１、液不透過性又は撥水性の裏面シート３２、及び両シート３１、３２間に介在配置された液保持性の吸収体３３を有しており、図２に示すように、Ｘ方向に長い長方形状に形成されている。吸収体３３は、パルプ繊維等の繊維の集合体（不織布であっても良い）又はこれに吸水性ポリマーの粒子を保持させてなる吸収性コア３３ａと、該吸収性コア３３ａを被覆するコアラップシート３３ｂ，３３ｃからなる。吸収体３３も、Ｘ方向に長い長方形状に形成されている。
【００１４】
吸収性本体３は、長手方向の両側部に、吸収体３３の長手方向の両側縁それぞれより外方に位置し、少なくとも股下部Ｃ（吸収性本体３の縦方向（Ｘ方向）における腹側シート部材２Ａと背側シート部材２Ｂとの間）に側部ギャザーを形成する側部シート部３４，３４を有している。
側部シート部３４は、図２に示すように、吸収性本体３の全長に亘って存在している。側部シート部３４は、図３に示すように、液抵抗性ないし撥水性のシート材３５及び該シート材３５に固定された弾性部材３６，３６を備えている。弾性部材３６は、少なくとも股下部Ｃに伸長状態で固定されており、少なくとも股下部Ｃに側部ギャザー３４ｃを形成する。側部ギャザー３４ｃは、側部シート部３４に配された弾性部材３６が収縮することで、側部シート部３４を構成するシート材３５が襞寄せされたり波状の断面形状に変形して形成されるものである。
側部ギャザー３４ｃは、おむつ１の自然状態及び／又は着用状態で形成されれば良く、また、おむつ１の着用時に、股下部Ｃに存する部分が、後述する線状接合部３０の外縁端を起立端３４ｂとして、着用者の肌側に向かって起立する。
【００１５】
弾性部材３６は、概ね吸収性本体３の長手方向に伸縮するギャザーを形成し得るように配されていれば良く、図２に示すように、Ｘ方向と平行に配されていることが好ましいが、Ｘ方向に対してある程度傾斜していても良いし、吸収性本体３の幅方向の内方又は外方に凸に湾曲させて配しても良い。また、弾性部材３６は、吸収性本体３の長手方向に亘って連続的にシート材３５に固定されていることが好ましいが、ギャザーを形成し得る限りシート材３５に間欠的に固定されていても良い。
【００１６】
本実施形態のおむつ１は、吸収性本体３の長手方向の両側部に、吸収性本体３の長手方向に沿って延びる一対の立体ギャザー形成部３８を有している。
立体ギャザー形成部３８は、シート材３５と、該シート材３５に固定された立体ギャザー形成用の弾性部材３９とを有してなる。立体ギャザー形成部３８は、少なくとも股下部Ｃに立体ギャザー３８ｃを形成する。本実施形態のおむつ１におけるシート材３５は、１枚のシートが、立体ギャザー形成部３８における、立体ギャザー３８ｃの自由端側の端部３８ａに配される折り曲げ部に沿って２つ折りされて２層構造とされている積層シートであり、該積層シートの層間に弾性部材３９が接着剤を介して固定されている。また、その積層シートは、側方シート部３４における、側方ギャザー３４ｃの自由端側の端部３４ａに配される折り曲げ部に沿って更に２つ折りされており、それによって相対向した２枚の積層シート間に弾性部材３６が接着剤を介して固定されている。また、その積層シートどうしは、吸収体３３の側縁部の近傍、より詳細には側縁部のやや外方の位置に形成された線状接合部３０において、両者間に表面シート３１を介在させた状態で接合一体化されている。
【００１７】
線状接合部３０は、図２に示すように、長方形状の吸収体４の両側縁部それぞれに沿って延びており、また、吸収体３３及び吸収性本体３のＸ方向の全長に亘って延びている。線状接合部３０は、連続直線状に形成されていることが好ましいが、点線状に形成されていても良い。また、線状接合部３０を形成する際の接合方法としては、ヒートシール、超音波シール、高周波シール、接着剤の各種公知の接合方法が用いられる。
【００１８】
立体ギャザー３８ｃは、おむつ１の着用時に、着用者の肌側に向かって起立し、吸収性本体３から幅方向外方への液の流出を阻止する。表面シート３１、裏面シート３２、吸収性コア３３ａ，コアラップシート３３ｂ，３３ｃの形成材料としては、それぞれ、この種の吸収性物品に従来用いられているものと同様のものを用いることができる。吸収性本体３の裏面シート３２側には、肌触りを良くする観点等から不織布等からなる外装シート３２ａを配することもできる。
【００１９】
腹側シート部材２Ａは、おむつ１の展開且つ伸長状態（図２参照）において、横長の長方形状をなしており、おむつ縦方向（Ｘ方向）に沿う左右一対の側縁部２ａ，２ａと、おむつ横方向（Ｙ方向）に沿う上下一対の端縁部２ｃ，２ｄとを有している。背側シート部材２Ｂも、同様に、横長の長方形状をなしており、おむつ縦方向（Ｘ方向）に沿う左右一対の側縁部２ｂ，２ｂと、おむつ横方向（Ｙ方向）に沿う上下一対の端縁部２ｃ，２ｄとを有している。腹側シート部材２Ａと背側シート部材２Ｂは、図２のようにおむつ縦方向（Ｘ方向）の長さがおむつ横方向（Ｙ方向）において均一である。
そして、腹側シート部材２Ａの側縁部２ａの一部２ａ’と、背側シート部材２Ｂの側縁部２ｂの一部２ｂ’とが接合されていることによって、おむつ１には、サイドシール部４，４、ウエスト開口部５及び一対のレッグ開口部６，６が形成されている。この接合には、例えばヒートシール、高周波シール、超音波シール、接着剤等が用いられる。図１には、ウエスト開口部５に幼児の胴部７ａ、レッグ開口部６，６に幼児の脚部７ｂ，７ｂが挿通された状態が示されている。
【００２０】
おむつ１における腹側シート部材２Ａ及び背側シート部材２Ｂは何れも、図４及び図５に示すように、おむつの外面をなす外層シート２２と、外層シート２２の内面側に配された内層シート２３と、両シート２２，２３間にＸ方向に離間させて配された複数本の糸状の弾性部材２４とを備えており、それぞれ、図２に示すように、ウエスト伸縮部Ｇ１、胴回り伸縮部Ｇ２、延出部伸縮部Ｇ３を有している。
【００２１】
腹側シート部材２Ａ及び背側シート部材２Ｂは、２枚のシート２２，２３間に伸長状態で配した弾性部材２４の収縮により弾性伸縮性を発現するものについては、図２に示すように、弾性部材２４を伸長させた状態で、一対の側縁部２ａ，２ａどうし、及び一対の側縁部２ｂ，２ｂどうしが、それぞれ互いに平行であることが好ましい。また、腹側シート部材２Ａ及び背側シート部材２Ｂは、弾性部材２４を伸長させた状態で、横長長方形状であることが好ましい。
【００２２】
ウエスト伸縮部Ｇ１は、腹側シート部材２Ａ及び背側シート部材２Ｂのそれぞれにおいて、おむつ１の縦方向（Ｘ方向）における、吸収性本体３の長手方向の端部３ａ，３ｂより外方に形成されている。胴回り伸縮部Ｇ２は、腹側シート部材２Ａ及び背側シート部材２Ｂのそれぞれにおいて、おむつ１の縦方向（Ｘ方向）における、ウエスト伸縮部Ｇ１と腹側延出部２１ａ又は背側延出部２１ｂとの間に形成されている。延出部伸縮部Ｇ３は、腹側延出部２１ａ及び背側延出部２１ｂに形成されている。
【００２３】
ウエスト伸縮部Ｇ１、胴回り伸縮部Ｇ２、延出部伸縮部Ｇ３は、それぞれ、おむつ１の横方向（Ｙ方向）における、少なくとも、吸収体３３の両側縁それぞれより外方に位置する部分において伸縮性を発現することが好ましい。
図１〜図５には、ウエスト伸縮部Ｇ１、胴回り伸縮部Ｇ２、延出部伸縮部Ｇ３を形成する弾性部材２４が、吸収体３３を横断して、腹側シート部材２Ａ及び背側シート部材２Ｂの全幅に亘って延びている実施形態を示したが、胴回り伸縮部Ｇ２及び／又は延出部伸縮部Ｇ３を形成する弾性部材２４は、吸収体３３の幅方向中央部と重なる部分においては、熱処理等により弾性部材の弾性を喪失させたり、弾性部材を切断したりする等により、該部分では弾性部材２４が腹側シート部材２Ａ及び背側シート部材２Ｂに伸縮性を付与しないようにすることが好ましい。
【００２４】
腹側シート部材２Ａ及び背側シート部材２Ｂを構成する２枚のシート２２，２３間は、腹側シート部材２Ａ及び背側シート部材２Ｂそれぞれの実質的に全域において接着剤で固定されていても良いし、特開２００５−８０８５９号公報に記載の弾性伸縮部材における２枚のシート材間のように、弾性部材２４を通らないように散点状に形成された多数の接合部において接合されていても良い。
【００２５】
吸収性本体３は、長手方向の一端側（腹側シート部材２Ａと重なっている部分）が、腹側シート部材２ＡのＹ方向の中央部に接着剤８を介して固定され、長手方向の他端側（背側外装体２Ｂと重なっている部分）が、背側シート部材２ＢのＹ方向の中央部に接着剤８を介して固定されている。
【００２６】
本実施形態のおむつ１における側部シート部３４，３４は、図２及び図４に示すように、それぞれ、おむつ１の横方向（Ｙ方向）の外方側に倒した状態で、背側シート部材２Ｂの背側延出部２１ｂに固定されている。本実施形態のおむつ１においては、側部シート部３４，３４は、背側シート部材本体２０ｂと重なる部分を含めた背側シート部材２Ｂと重なる部分の全域においておむつ１の横方向（Ｙ方向）の外方側に倒した状態で背側シート部材２Ｂに固定されているが、側部シート部３４は、少なくとも背側延出部２１ｂ、特に背側シート部材２Ｂの下縁部２ｃ寄り部分に対して上記態様で固定されていることが好ましい。
【００２７】
吸収性本体３は、吸収体３３を有する幅方向中央部３ｃも、背側シート部材本体２０ｂ及び背側延出部２１ｂのそれぞれに対して接着剤８等により固定されていることが、背側シート部材２Ｂの吸収性本体３からの浮きを防止し、製品の外観的完成度を向上させる観点、および接着により剛性を向上させ、吸収性コアの幅を維持しモレを防止する観点から好ましい。
【００２８】
また、本実施形態のおむつ１においては、側部ギャザー３４ｃを形成する弾性部材３６が、背側延出部２１ｂに達していない。即ち、側部シート部３４に配された弾性部材３６は、少なくとも股下部Ｃにおいては、シート材３５に伸長状態で固定され該シート材３５と共に側部ギャザー３４ｃを形成するが、その弾性部材３６は、背側シート部材２Ｂ側の端部３６ｂが、背側シート部材２Ｂと重なる部分に達しない股下部Ｃに位置している。従って、弾性部材３６は、側部シート部３４における、背側延出部２１ｂと重なる部分に伸縮性を付与していない。側部ギャザー３４ｃを形成する弾性部材３６は、側部シート部３４に、該側シート部の長手方向に沿って配され、少なくとも股下部Ｃにおいてシート材３５を収縮させてギャザーを形成し得るものであり、弾性部材３６の一端又は両端に、シート材３５に固定されずにフリーとなっている部分が存する場合、当該部分は、側部ギャザー３４ｃを形成する弾性部材３６の一部には含めない。
【００２９】
本実施形態のおむつ１は、背側シート部材２Ｂに背側延出部２１ｂを有するため、腹側シート部材２Ａの両側縁部と背側シート部材２Ｂの両側縁部とがおむつ縦方向の全域で接合されている従来のおむつに比して、着用時に、背側シート部材２Ｂの下縁部２ｃが着用者のより下方に位置するため、背側シート部材２Ｂの下縁部２ｃより下方や吸収性本体３の側方から、着用者の臀部の一部がはみ出した状態となりにくい。しかも、吸収性本体３の両側部に側部シート部３４を設け、側部シート部３４をおむつ横方向の外方側に倒して背側延出部２１ｂに固定してあるため背側延出部の剛性が増すとともに、股下部Ｃにおいては左右から大腿部に挟まれて幅が狭くなり易い吸収性本体３の幅を、背側シート部材２Ｂの下縁部２ｃ付近では確実に拡げた状態で着用者に当接させることができ、その相乗効果により着用者の臀部を覆うことを更に改善することができる。また、側部ギャザー３７を形成する弾性部材３６が背側延出部２１ｂに達していないため、背側延出部２１ｂが、側部ギャザー３４ｃの収縮力によっておむつ縦方向（Ｘ方向）に収縮することも防止でき、背側延出部２１ｂを導入した効果を更に最大限にまで高めることが可能となる。
【００３０】
斯かる効果を確実に得る観点から、側部シート部３４に配する弾性部材３６の背側シート部材２Ｂ側の端部３６ｂは、背側シート部材２Ｂとの間の距離Ｌ１（図２参照）が、０〜２ｃｍ、特に０〜１ｃｍであることが好ましい。
【００３１】
本実施形態のおむつ１においては、腹側シート部材２Ａと背側シート部材２Ｂとの間における側部シート部３４，３４には、それぞれ、側部ギャザー３４ｃを形成する弾性部材３６が複数本配されており、それら複数本の弾性部材３６．３６の総てが、側部ギャザー３４ｃの幅方向における中央位置３４ｄより自由端３４ａ側に配されている。側部ギャザー３４ｃの中央位置３４ｄは、おむつ１の展開且つ伸長状態において、側部ギャザー３４ｃの固定端３４ｂから自由端３４ａまでの間を２等分する位置である。
側部ギャザー３４ｃの固定端３４ｂから自由端３４ａまでの幅（図２に示す状態でのＹ方向の距離）は、１０〜４０ｍｍ、特に２０〜４０ｍｍであることが好ましい。
股下部Ｃにおける側部シート部３４（側部ギャザー３４ｃ）は、線状接合部３０の外縁端を固定端３４ｂとして、着用者の肌側に向かって起立するが、その固定端３４ｂに近い部位に弾性部材３６が配されていないこと、すなわち側部ギャザー３４ｃの自由端側に配されることにより、側部ギャザー３４ｃの起立性が向上し、着用者の肌に当接しやすくなる。側部ギャザーが肌に当接することにより、立体ギャザー３８ｃを超えてモレ出た排泄物が更におむつ外部に流出することを防ぐことができるとともに、股下部においておむつと足周りの隙間をなくす事ができ、母親のモレに対する不安感を払拭できるので、母親の安心感につながるというメリットがある。また、弾性部材３６は、複数本あることが好ましく、それにより側部ギャザー３４ｃが着用者の肌（鼠蹊部）に面で接するようになるため、上述の効果が一層顕著に奏されるようになる。
【００３２】
本実施形態のおむつ１においては、図３に示すように、側部ギャザー３４ｃを形成する弾性部材３６は、側部ギャザー３４ｃの自由端３４ａには配されていない。即ち、自由端３４ａに最も近い弾性部材３６も、自由端３４ａとの間に所定の間隔Ｗを設けて配されている。これにより、側部ギャザーの自由端３４ａよりやや内側が肌に当接し、自由端３４ａがフリル状になるため、排尿等によりおむつのズレが生じても脚廻りに隙間が生じにくくなる。また、側部ギャザー３４ｃの端部に硬い部分ができないことにより、装着時におけるゴム跡つき、および違和感を与えることも防止することができる。
前記間隔Ｗは、２〜２０ｍｍ、特に３〜１５ｍｍであることが好ましい。なお、シート材が弾性部材が配された部位で折り返されており、その折り返し部が自由端３４ａを形成している場合、当該弾性部材は自由端３４ａに配されているものとする。
【００３３】
本実施形態のおむつ１においては、腹側シート部材２Ａにも腹側延出部２１ａが形成されているため、おむつ１を腹側部Ａ側から見たときも、ふんどしのような外観を呈さず外観が良好である。
また、腹側延出部２１ａ及び背側延出部２１ｂに形成された延出部伸縮部Ｇ３がそれぞれに配された弾性部材２４によって適度に収縮するため、おむつ１を着用したときに、腹側シート部材２Ａの腹側延出部２１ａに存する側縁部２ａと、背側シート部材２Ｂの背側延出部２１ｂに存する側縁部２ｂが、図１（ｂ）に示すように、腹側部方向と背側部方向に分かれて逆Ｙ字状に開く。そのため、おむつ１を側方から見たときの外観が良好であり、漏れにくい印象を与えるものとなる。
【００３４】
また、腹側シート部材２Ａにも腹側延出部２１ａが形成されており、その腹側延出部２１ａにおむつ横方向に伸縮する延在部伸縮部Ｇ３が形成されているため、腹側延出部２１ａが鼠蹊部を覆うように面で当接し、排尿がなされた場合、その増加した重量を、腹側延出部２１ａ並びにその上の腹側シート部材本体２０ａ及び背側シート部材本体２０ｂにて支えることとなり、圧力の分散により、脚廻りにゴム跡等がより付きにくくなる。
【００３５】
本実施形態のおむつ１における側部シート部３４，３４は、腹側シート部材２Ａの腹側延出部２１ａに対しても、図２及び図５に示すように、おむつ１の横方向（Ｙ方向）の外方側に倒した状態で固定されている。より具体的には、側部シート部３４，３４は、腹側シート部材本体２０ａと重なる部分を含めた腹側シート部材２Ａと重なる部分の全域においておむつ１の横方向（Ｙ方向）の外方側に倒した状態で腹側シート部材２Ａに固定されている。  また、側部シート部３４，３４は、腹側シート部材２Ａと重なる部分においても伸縮性を発現するようになされている。具体的には、側部ギャザーを形成する弾性部材２６が、側部シート部３４の腹側シート部材２Ａに固定される部分にも延在しており、当該部分に伸縮性を付与している。
【００３６】
斯かる構成によって、腹側シート部材２Ａの弾性部材２４と側方シート部３４の弾性部材２６とが連動し、腹側シート部材２Ａの着用者の身体へのフィット性が向上する。
また、腹側シート部材２Ａが腹側延出部２１ａを有する場合は、側部シート部３４は、腹側延出部２１ａに対して上記態様で固定されていることが好ましく、腹側シート部材２Ａが腹側延出部２１ａを有しない場合は、腹側シート部材２Ａの下縁部２ｃ寄り部分に対して上記態様で固定されていることが好ましい。
【００３７】
本実施形態のおむつ１においては、外層シート２２及び内層シート２３は、ウエスト開口部の開口周縁端をなす端縁部２ｄにおいて内層シート２３側に折り返された延出折り返し部２２ａ，２３ａを有しており、延出折り返し部２２ａ，２３ａは、サイドシール部４において、外層シート２２及び内層シート２３の折り返されていない部分と接合されていると共に、吸収性本体３の長手方向と重なる部分が、接着剤により該吸収性本体３の表面シート３１側の面に接合されている。
【００３８】
腹側シート部材２Ａの腹側延出部２１ａの延出長さＬ５は、腹側シート部材２Ａの長さＬａの５〜５０％、特に１０〜４０％であることが好ましく、背側シート部材２Ｂの延出部２１ｂの延出長さＬ６は、背側シート部材２Ｂの長さＬｂの１０〜５０％、特に２０〜４０％であることが好ましい。幼児用のおむつの場合、腹側及び背側延出部２１ａ，２１ｂそれぞれの延出長さＬ５，Ｌ６は、１０〜７０ｍｍであることが好ましく、より好ましくは２０〜６０ｍｍである。成人用のおむつの場合、腹側及び背側延出部２１ａ，２１ｂそれぞれの延出長さＬ５，Ｌ６は、１５〜１１０ｍｍであることが好ましく、より好ましくは３０〜９０ｍｍである。
【００３９】
腹側シート部材２Ａの長さＬａは、おむつ全長Ｌの１０〜４０％、特に１５〜３５％が好ましく、背側シート部材２Ｂの長さＬｂはおむつ全長Ｌの２０〜４０％、特に２５〜３５％が好ましい。
また、衣服として鑑みた場合、その前後を視覚的に判断できるといった観点から、腹側延出部２１ａ，背側延出部２１ｂそれぞれの延出長さＬ５，Ｌ６はＬ５＜Ｌ６なる関係になることが好ましい。
【００４０】
また、Ｙ方向における吸収性本体３の幅は、腹側シート部材２Ａ及び背側シート部材２Ｂの図２に示す状態のＹ方向の幅あるいは同方向の最大伸長幅の３５〜６５％、特に４０〜６０％であることが好ましい。
【００４１】
外層シート２２及び内層シート２３としては、この種の物品に従来使用されている各種のシート材を特に制限なく用いることができるが、不織布であることが好ましく、特に柔軟性等の観点から、エアースルー不織布、ヒートロール不織布、スパンレース不織布、スパンボンド不織布、メルトブローン不織布等からなる単層の不織布又は２層以上の積層不織布であることが好ましい。また、これらの不織布とフィルムとを一体化したシートでもよい。弾性部材２４の形成材料としては、使い捨ておむつや生理用ナプキン等の吸収性物品に用いられる各種公知の弾性材料を特に制限なく用いることができる。弾性材料としては、例えば、スチレン−ブタジエン、ブタジエン、イソプレン、ネオプレン等の合成ゴム、天然ゴム、ＥＶＡ、伸縮性ポリオレフィン、ポリウレタン等を挙げることができる。弾性部材の形態としては、断面が矩形、正方形、円形、多角形状等の糸状（糸ゴム等）若しくは紐状（平ゴム等）のもの、又はマルチフィラメントタイプの糸状のもの等を好ましく用いることができる。
【００４２】
次に、本発明の第２及び第３実施形態について説明する。
第２及び第３実施形態のパンツ型使い捨ておむつについては、第１実施形態との相違点について主として説明し、同様の点については説明を省略する。特に説明しない点は、第１実施形態と同様である。図７及び図８には、第１実施形態のおむつの構成要素等と同様の構成要素等に同一の符号を付してある。
【００４３】
第２実施形態のおむつ１’においては、表面シート３１が、吸収体３３の裏面側に巻き下げられており、吸収体３３の裏面シート３２側における吸収体３３の側縁から離間した位置に、表面シート３１の巻き下げられた部分と側部ギャザー３４ｃ形成用のシート材３５とが接合された接合点８１が形成されている。おむつ１’における吸収体３３は、股下部Ｃに配された部分に左右一対の折曲誘導部３３３を備えた平面視矩形状の下部吸収性コア３３１と、下部吸収性コア３３１より小型で、下部吸収コア３３１上に積層された上部吸収性コア３３２と、これらを被覆するコアラップシート（図示略）から形成されている。折曲誘導部３３３は、パルプ繊維等の吸収性コアの構成材料が配されていない欠落部、吸収性コアの構成材料が他の部分に比して少ない低坪量部、スリット等であり、曲げ剛性を低減して、吸収体３３の両側部が立ち上がり易くするものである。
第２実施形態のおむつ１’も、第１実施形態と同様に、側部シート部３４及び立体ギャザー形成部３８を有しており、それらは股下部Ｃにおいて、側部ギャザー３４ｃ及び立体ギャザー３８ｃを形成するが、それらの起立端を形成する線状接合部３０は、折り返して相対向させたシート材３５どうしを接合して形成されている。
【００４４】
第２実施形態のおむつ１’においても、図６（ｃ）に示すように、側部シート部３４は、おむつ横方向の外方側に倒した状態で背側延出部２１ｂに固定されており、また、図６（ａ）に示すように、側部ギャザーを形成する弾性部材３６は、背側延出部２１ｂに達していない。そのため、第２実施形態のおむつ１’においても、第１実施形態と同様の作用効果が奏し得られる。
【００４５】
第３実施形態のおむつ１”においては、表面シート３１と裏面シート３２が、吸収体３３の両側縁部それぞれの外方で互いに接合されており、その接合部を上下から挟むようにシート材３５が一体化されて線状接合部３０が形成されている。おむつ１”における吸収体３３は、平面視砂時計状の下部吸収性コア３３１と、下部吸収性コア３３１より小型で、下部吸収コア３３１上に積層された上部吸収性コア３３２と、これらを被覆するコアラップシート（図示略）から形成されている。
第３実施形態のおむつ１”も、第１実施形態と同様に、側部シート部３４及び立体ギャザー形成部３８を有しており、それらは股下部Ｃにおいて、側部ギャザー３４ｃ及び立体ギャザー３８ｃを形成する。
【００４６】
第３実施形態のおむつ１”においても、図７（ｃ）に示すように、側部シート部３４は、おむつ横方向の外方側に倒した状態で背側延出部２１ｂに固定されており、また、図７（ａ）に示すように、側部ギャザーを形成する弾性部材３６は、背側延出部２１ｂに達していない。そのため、第２実施形態のおむつ１’においても、第１実施形態と同様の作用効果が奏し得られる。
【００４７】
以上、本発明をその好ましい実施形態に基づき説明したが、本発明は上述した実施形態に制限されず適宜変更可能である。
例えば、腹側延出部２１ａは、それ自体を設けないこともでき、また、腹側延出部２１ａは設けるが、そこには弾性部材２４を配さない形態とすることもできる。
また、側部シート部３４を形成するシート材と、立体ギャザー形成部３８を形成するシート材とは別体のシート材であっても良い。また、それぞれのシート材は、単層のシート材を部分的に多層としてその多層部分の層間に弾性部材が配されていても良い。
また、サイドシール部４は、腹側及び背側シート部材の側縁部２ａ，２ｂに形成されているが、サイドシール部４の外側に腹側シート部材２Ａと背側シート部材２Ｂとが接合されていない細幅（例えば０ｍｍ超２０ｍｍ以下）の非接合部分を有していてもよい。
【００４８】
また、パンツ型吸収性物品は、幼児又は成人用のパンツ型使い捨ておむつの他、パンツ型の生理用ナプキン等であっても良い。
上述した一の実施形態における説明省略部分及び一の実施形態のみが有する要件は、それぞれ他の実施形態に適宜適用することができ、また、各実施形態における要件は、適宜、実施形態間で相互に置換可能である。
【符号の説明】
【００４９】
１，１’，１”  パンツ型使い捨ておむつ（パンツ型吸収性物品）
２Ａ  腹側シート部材
２ａ，２ａ  側縁部
２１ａ  腹側延出部
２Ｂ  背側シート部材
２ｂ，２ｂ  側縁部
２１ｂ  背側延出部
２２  外層シート
２３  内層シート
２４  弾性部材
３  吸収性本体
３１  表面シート
３２  裏面シート
３３  吸収体
３３ａ  吸収性コア
３４  側部シート部
３４ｃ  側部ギャザー
３５  側部シート部を構成するシート材
３６  側部ギャザーを形成する弾性部材
３８  立体ギャザー形成部
３８ｃ  立体ギャザー
４  サイドシール部
５  ウエスト開口部
６  レッグ開口部
Ａ  腹側部
Ｂ  背側部
Ｃ  股下部
Ｇ１  ウエスト伸縮部
Ｇ２  胴回り伸縮部
Ｇ３  延出部伸縮部
【図１】
0005492520.tif 000002
【図２】
0005492520.tif 000003
【図３】
0005492520.tif 000004
【図４】
0005492520.tif 000005
【図５】
0005492520.tif 000006
【図６】
0005492520.tif 000007
【図７】
0005492520.tif 000008